(57)【要約】【課題】  木質系の机において、両側のＬ脚間に天板を容易に取付けることができ、Ｌ脚に対して天板が片持ち状態でも支持強度が十分に高く、しかも天板の高さ調節のための付け替え作業を簡単に行うことができる木質系の組立式机を提供する。【解決手段】  Ｌ脚１の脚板７の上下方向に所定間隔毎に前後対となった複数の取付孔１０を貫通形成し、脚板よりも奥行幅が大きな天板２の両側端下面に固定した支持板１１に螺孔１２を形成し、金属製のブラケット９は脚板の奥行幅より長く、天板の奥行幅と同等か短い長さに設定し、ブラケットの後部に脚板の取付孔に嵌挿するパイプ状の一対の係合ピン１４を突設するとともに、ブラケットの全長にわたり天板の支持板の下面を受ける断面略コ字形の支持レール１５を形成し、ブラケットの係合孔を脚板の取付孔に嵌挿し、支持レールで天板の支持板を載支して仮支持する。【選択図】        図５
2011254879.tif 000002
【特許請求の範囲】
【請求項１】
奥行幅の狭い脚板の下端に接地脚が前方へ突出したＬ脚を両側に有し、両Ｌ脚の後端間に幕板を備えるとともに、両Ｌ脚間に脚板よりも奥行幅が大きな天板を金属製のブラケットを介して高さ調節可能に取付けてなる木質系の組立式机において、前記脚板の上下方向に所定間隔毎に前後対となった複数の取付孔を貫通形成し、前記天板の両側端下面に固定した支持板に前記取付孔の前後間隔と同じ前後間隔で螺孔を形成し、前記ブラケットは前記脚板の奥行幅より長く、天板の奥行幅と同等か短い長さに設定し、該ブラケットの後部に前記脚板の取付孔に嵌挿するパイプ状の一対の係合ピンを突設するとともに、該ブラケットの全長にわたり前記天板の支持板の下面を受ける断面略コ字形の支持レールを形成し、前記ブラケットの係合ピンを脚板の取付孔に嵌挿した後、支持レールに天板の支持板を載支し、脚板の外側から前記取付孔内の係合ピンを貫通させた連結ネジを前記天板の支持板の螺孔に螺合してなることを特徴とする木質系の組立式机。
【請求項２】
前記天板は、両側後部に前記脚板を受け入れる係合部を切欠形成し、前記天板の支持板を前記ブラケットの支持レールに載支した状態で、前記係合部の前端部を前記脚板の前端に当接させた状態で、前記螺孔と前記取付孔の位置を一致させてなる請求項１記載の木質系の組立式机。
【請求項３】
前記ブラケットは、後部に垂直な取付板を設け、該取付板に前記係合ピンを突設し、下縁の全長にわたって上方へ開放した断面略コ字形の支持レールを折曲形成してなる請求項１又は２記載の木質系の組立式机。
【請求項４】
前記天板の係合部よりも前方の両側下面に前記ブラケットを隠蔽する化粧部材を設け、前記天板の支持板との間に前記ブラケットの支持レールを構成する立上片を受け入れる切欠溝を前記化粧板に設けてなる請求項１〜３何れか１項に記載の木質系の組立式机。
【請求項５】
両側の前記Ｌ脚の下方後部間に連結部材を連結して自立状態とした後、各Ｌ脚の脚板の内側に前記ブラケットの係合ピンを取付孔に嵌挿して保持し、それから天板の両側の支持板をそれぞれブラケットの支持レールに載支し、側方から係合ピンに挿通した連結ネジを支持板の螺孔に螺合し、この連結ピンによる螺合工程と前後して前記幕板の両側部を両脚板の後端面にネジ止めしてなる請求項１〜４何れか１項に記載の木質系の組立式机。
【発明の詳細な説明】
【技術分野】
【０００１】
本発明は、木質系の組立式机に係わり、更に詳しくは天板の高さが調節可能な木質系の組立式机に関するものである。
【背景技術】
【０００２】
従来から天板の高さが調節可能な学習机は各種提供されている。天板の高さ調節機構としては、脚板に内蔵したネジ軸の回転操作に伴い、天板に固定した支持部内に設け前記ネジ軸に螺合したナット部の螺進退によって天板が無段階に昇降するもの、あるいは伸縮構造の両脚板の内部にガスシリンダーを配置して所定伸縮状態で保持するもの、あるいは両脚板間に配した天板両側の支持部を脚板に設けた取付孔を利用してネジ止めし、該取付孔を上下方向に一定間隔で複数設けておき、適当な高さの取付孔を選択して天板を付け替えることによって該天板の高さを調節するものなど様々である。
【０００３】
学習机では、製造工場からの搬送、販売店での保管において、スペース効率を考慮して、嵩張らないように板状の部品に分解した状態で梱包し、取り扱うことが多い。その場合、販売店で、又はユーザー宅で簡単に組み立てることができる構造であり、また十分な強度を備えていることは必須である。
【０００４】
机の脚部の構造としては、着席、離席の際に利用者の足の動作を妨げず、また横に複数台並設した際に、隣の机へのアクセスが容易になるという理由で、Ｌ脚構造が好まれる。Ｌ脚は、脚板の奥行幅が天板より狭く、脚板の下端に天板の奥行幅に略等しい接地脚が前方へ延びた構造を有している。このようなＬ脚構造の脚部間に天板を取付ける場合、天板の後部が脚部で支持された片持ち状態となる。金属製の机では天板が片持ち状態でも十分な強度を持たせることができるが、木質系の組立式机では強度不足を解消するには補強構造が必要である。天板の高さが固定的な場合には、脚板に前方へ支持アームを延ばして固定し、該支持アームに天板を取付ければ、強度を保てるが、天板を高さ調節可能に取付ける場合、固定的な支持アームを用いることはできない。また、作業者が一人で組み立てる場合、天板の仮支持がなければ、横に倒した状態で作業しなければならず、手間がかかる。
【０００５】
特許文献１には、収納キャビネットの両側板間にデスク受け金具を介して前方へ突出するように天板を取付けた構造が開示されている。ここで、デスク受け金具の長さは、側板の奥行幅よりも長く設定され、後部を側板の内面側に形成した前後の取付孔を利用してネジ止め固定し、デスク受け金具の前部は側板より前方へ突出している。前記側板の取付孔は上下方向に所定間隔で複数対設けられており、所定高さのものを選択して前記デスク受け金具を取付け、該デスク受け金具の水平板の上に天板の両側部を載置し、下方から水平板を天板にネジ止めしている。更に、天板の後端は収納キャビネットの背板にアングル状のバック受け金具を用いてネジ止めしている。そして、前記側板より前方に突出したデスク受け金具の側面に化粧用のサイドカバーを取付けている。
【先行技術文献】
【特許文献】
【０００６】
【特許文献１】特開２００５−１７７１８５号公報
【発明の概要】
【発明が解決しようとする課題】
【０００７】
しかしながら、特許文献１に記載の天板の支持構造では、片持ち状態の天板の支持強度を高めることに主眼を置き過ぎたために、ネジ止め箇所が多くなり過ぎ、天板の高さを調節するために付け替えることは容易ではない。
【０００８】
そこで、本発明が前述の状況に鑑み、解決しようとするところは、木質系の机において、両側のＬ脚間に天板を容易に取付けることができるとともに、Ｌ脚に対して天板が片持ち状態でも支持強度が十分に高く、しかも天板の高さ調節のための付け替え作業を簡単に行うことができる木質系の組立式机を提供する点にある。
【課題を解決するための手段】
【０００９】
本発明は、前述の課題解決のために、奥行幅の狭い脚板の下端に接地脚が前方へ突出したＬ脚を両側に有し、両Ｌ脚の後端間に幕板を備えるとともに、両Ｌ脚間に脚板よりも奥行幅が大きな天板を金属製のブラケットを介して高さ調節可能に取付けてなる木質系の組立式机において、前記脚板の上下方向に所定間隔毎に前後対となった複数の取付孔を貫通形成し、前記天板の両側端下面に固定した支持板に前記取付孔の前後間隔と同じ前後間隔で螺孔を形成し、前記ブラケットは前記脚板の奥行幅より長く、天板の奥行幅と同等か短い長さに設定し、該ブラケットの後部に前記脚板の取付孔に嵌挿するパイプ状の一対の係合ピンを突設するとともに、該ブラケットの全長にわたり前記天板の支持板の下面を受ける断面略コ字形の支持レールを形成し、前記ブラケットの係合ピンを脚板の取付孔に嵌挿した後、支持レールに天板の支持板を載支し、脚板の外側から前記取付孔内の係合ピンを貫通させた連結ネジを前記天板の支持板の螺孔に螺合してなることを特徴とする木質系の組立式机を構成した（請求項１）。
【００１０】
ここで、前記天板は、両側後部に前記脚板を受け入れる係合部を切欠形成し、前記天板の支持板を前記ブラケットの支持レールに載支した状態で、前記係合部の前端部を前記脚板の前端に当接させた状態で、前記螺孔と前記取付孔の位置を一致させてなることが好ましい（請求項２）。
【００１１】
そして、前記ブラケットは、後部に垂直な取付板を設け、該取付板に前記係合ピンを突設し、下縁の全長にわたって上方へ開放した断面略コ字形の支持レールを折曲形成してなるのである（請求項３）。
【００１２】
また、前記天板の係合部よりも前方の両側下面に前記ブラケットを隠蔽する化粧板を設け、前記天板の支持板との間に前記ブラケットの支持レールを構成する立上片を受け入れる切欠溝を前記化粧板に設けてなることも好ましい（請求項４）。
【００１３】
本発明の木質系の組立式机は、両側の前記Ｌ脚の下方後部間に連結部材を連結して自立状態とした後、各Ｌ脚の脚板の内側に前記ブラケットの係合ピンを取付孔に嵌挿して保持し、それから天板の両側の支持板をそれぞれブラケットの支持レールに載支し、側方から係合ピンに挿通した連結ネジを支持板の螺孔に螺合し、この連結ピンによる螺合工程と前後して前記幕板の両側部を両脚板の後端面にネジ止めして組み立てる（請求項５）。
【発明の効果】
【００１４】
以上にしてなる請求項１に係る発明の木質系の組立式机は、ブラケットの係合ピンを脚板の取付孔に嵌挿した後、支持レールに天板の支持板を載支し、脚板の外側から前記取付孔内の係合ピンを貫通させた連結ネジを前記天板の支持板の螺孔に螺合してなるので、重い天板を両側のブラケットで仮支持することができ、しかも断面略コ字形の支持レールに天板の支持板を嵌合状態で載支するので、Ｌ脚が開いて天板が落下する恐れがないので、天板から手を離してそれぞれの側で連結ネジによる固定作業を行うことができる。つまり、一人の作業者でも重い天板を両Ｌ脚の間に簡単に取付けることができる。また、天板の高さ設定は、脚板に形成した取付孔を選択し、ブラケットの係合ピンを嵌合することで容易に行うことができる。天板の高さ設定と、天板のＬ脚への固定作業を別々に行うことができるので、非常に作業性が良くなる。勿論、天板の高さ調節のために付け替えることも容易である。天板の後部を両Ｌ脚間に取付けた片持ち構造であっても、金属製のブラケットにより十分な支持強度を確保できる。
【００１５】
請求項２によれば、前記天板は、両側後部に前記脚板を受け入れる係合部を切欠形成し、前記天板の支持板を前記ブラケットの支持レールに載支した状態で、前記係合部の前端部を前記脚板の前端に当接させた状態で、前記螺孔と前記取付孔の位置を一致させてなるので、見えない位置にある螺孔と取付孔の位置を自動的に一致させることができ、係合ピンに挿通した連結ネジを確実に螺孔に螺合することができる。
【００１６】
請求項３によれば、前記ブラケットは、後部に垂直な取付板を設け、該取付板に前記係合ピンを突設し、下縁の全長にわたって上方へ開放した断面略コ字形の支持レールを折曲形成してなるので、取付板は脚板と支持板の間に位置し、貫通した連結ネジで締め付けられるので、ブラケットを強固に取付けることができ、また全長に設けた支持レールの溝内に天板の支持板の下端を受け入れて安定に支持することができる。
【００１７】
請求項４によれば、前記天板の係合部よりも前方の両側下面に前記ブラケットを隠蔽する化粧板を設け、前記天板の支持板との間に前記ブラケットの支持レールを構成する立上片を受け入れる切欠溝を前記化粧板に設けてなるので、木質系の机にあって異質な金属製ブラケットを完全に隠蔽することができ、また脚板より前方の天板両側の厚みが増し、より安定感を持たせることができる。
【００１８】
請求項５によれば、両側の前記Ｌ脚の下方後部間に連結部材を連結して自立状態とした後、各Ｌ脚の脚板の内側に前記ブラケットの係合ピンを取付孔に嵌挿して保持し、それから天板の両側の支持板をそれぞれブラケットの支持レールに載支し、側方から係合ピンに挿通した連結ネジを支持板の螺孔に螺合し、この連結ピンによる螺合工程と前後して前記幕板の両側部を両脚板の後端面にネジ止めしてなるので、木質系の組立式机を簡単且つ強固に組み立てることができる。
【図面の簡単な説明】
【００１９】
【図１】本発明の木質系の組立式机の全体斜視図である。
【図２】同じく木質系の組立式机の正面図である。
【図３】同じく木質系の組立式机の平面図である。
【図４】同じく木質系の組立式机の縦断面図である。
【図５】本発明の要部を示し、（ａ）はＬ脚と天板とブラケットの関係を示す部分分解斜視図、（ｂ）は同じく部分分解断面図である。
【図６】組立状態の部分拡大縦断面図である。
【図７】両Ｌ脚の下方後部間を連結部材で連結した状態の斜視図である。
【図８】両Ｌ脚の内側にブラケットを装着した状態の斜視図である。
【図９】両ブラケットに天板を載支した状態の斜視図である。
【図１０】Ｌ脚と天板を連結ネジで固定するとともに、両Ｌ脚の後端間に幕板を取付ける状態を示した斜視図である。
【図１１】ワゴンの縦断面図である。
【図１２】ワゴンに付属する収納オプションの斜視図である。
【図１３】天板が最も高い状態で、天板の下方に二つの書棚を組み合わせて取付けた使用例を示す正面図である。
【図１４】天板が低い状態で、天板の下方に二つの書棚を組み合わせて一側に取付け、他側にワゴンを収容した使用例を示す正面図である。
【図１５】天板が最も低い状態で、天板の下方と上方とにそれぞれ書棚を分けて一側に取付け、他側にワゴンを収容した使用例を示す正面図である。
【発明を実施するための形態】
【００２０】
次に、添付図面に示した実施形態に基づき、本発明を更に詳細に説明する。図１〜図６は本発明の木質系の組立式机の詳細を示し、図７〜図１０は組立手順を示し、図中符号１はＬ脚、２は天板、３は幕板、４は連結部材、５は書棚、６はワゴンをそれぞれ示している。
【００２１】
本発明の木質系の組立式机は、奥行幅の狭い脚板７の下端に接地脚８が前方へ突出したＬ脚１，１を両側に有し、両Ｌ脚１，１の後端間に幕板３を備えるとともに、両Ｌ脚１，１間に脚板７よりも奥行幅が大きな天板２を金属製のブラケット９，９を介して高さ調節可能に取付けた基本構造を有している。
【００２２】
更に詳しくは、図５に示すように、前記Ｌ脚１は、前記脚板７の上下方向に所定間隔毎に前後対となった複数の取付孔１０，１０を貫通形成している。また、前記天板２の両側端下面には支持板１１，１１を固定し、該支持板１１に前記取付孔１０，１０の前後間隔と同じ前後間隔で螺孔１２，１２を形成している。この螺孔１２は、前記支持板１１の内側からオニメナット１３を埋設して設けている。また、前記ブラケット９は、前記脚板７の奥行幅より長く、天板２の奥行幅と同等か短い長さに設定し、後部に前記脚板７の取付孔１０，１０に嵌挿するパイプ状の一対の係合ピン１４，１４を突設するとともに、全長にわたり前記天板２の支持板１１の下面を受ける断面略コ字形の支持レール１５を形成している。そして、前記ブラケット９の係合ピン１４，１４を脚板７の取付孔１０，１０に嵌挿した後、支持レール１５に天板２の支持板１１を載支し、脚板７の外側から前記取付孔１０内の係合ピン１４を貫通させた連結ネジ１６を前記天板２の支持板１１の螺孔１２に螺合する。
【００２３】
以下に、各部を更に詳しく説明する。前記天板２は、両側後部に前記脚板７を受け入れる係合部１７を切欠形成し、前記天板２の支持板１１を前記ブラケット９の支持レール１５に載支した状態で、前記係合部１７の前端部を前記脚板７の前端に当接させた状態で、前記螺孔１２，１２と前記取付孔１０，１０の位置が一致するように形成されている。また、図３及び図４に示すように、前記天板２の両側の支持板１１，１１は、該天板２の下面側に設ける引出し１８，１８を収容するボックス体１９の一部を構成している。また、図１、図３及び図５に示すように、前記天板２の係合部１７よりも前方の両側下面に前記ブラケット９を隠蔽する化粧板２０を設け、前記天板２の支持板１１との間に前記ブラケット９の支持レール１５を構成する立上片２１を受け入れる切欠溝２２を前記化粧板２０に設けている。
【００２４】
前記ブラケット９は、図５に示すように、後部に垂直な取付板２３を設け、該取付板２３に形成した孔にフランジ付きのパイプからなる前記係合ピン１４を内方から外方へ貫通させ、フランジを取付板２３の内側に溶接し、そして下縁の全長にわたって上方へ開放した断面略コ字形の支持レール１５を折曲形成したものである。前記取付板２３には、前記係合ピン１４のフランジの厚さを受け入れるための凹部を形成し、必然的に他の部分が凸部となるが、凹凸構造により強度を高める効果もある。そして、前記係合ピン１４のパイプは前記取付板２３を貫通しているので、その中心孔２４に前記連結ネジ１６を貫通できるのである。前記支持レール１５を構成する両立上片２１，２１は、前記取付板２３の上下幅よりも小さい高さに設定されている。尚、右用ブラケット９と左用ブラケット９は、鏡像関係にある。そして、前記化粧板２０に形成された切欠溝２２には、前記取付板２３に連続した外側の立上片２１が嵌るのである。
【００２５】
次に、本発明に係る木質系の組立式机の全体を組み立てる工程を図１、図７〜図１０に基づいて説明する。前記連結部材４は、２枚の板材をアングル状に連結した部材であり、両Ｌ脚１，１の脚板７，７の下方後部間に連結部材４をネジ止め固定し、両Ｌ脚１，１を自立状態にする（図７参照）。次に、各Ｌ脚１，１の脚板７，７の内側に前記ブラケット９，９の係合ピン１４，１４を脚板７，７の取付孔１０，１０に嵌挿して保持する（図８参照）。ここで、前記ブラケット９の係合ピン１４，１４が脚板７，７の取付孔１０，１０に嵌挿した状態では、該ブラケット９は簡単に脱落しない程度に保持されている。それから、前記天板２を両脚板７，７間に位置させて両側の支持板１１，１１をそれぞれブラケット９，９の支持レール１５，１５に載支する（図９参照）。この状態では、両脚板７，７間に天板２の係合部１７，１７が嵌り、支持板１１と支持レール１５の嵌合関係によってＬ脚１の外側への変位も規制されるので、天板２は安定に仮支持される。そして、前記天板２の後方へ押して、前記係合部１７，１７の前端部を前記脚板７，７の前端に当接させて、前記螺孔１２，１２と前記取付孔１０，１０の位置を一致させた状態で、側方から係合ピン１４に挿通した連結ネジ１６を支持板１１の螺孔１２に螺合する（図１０参照）。この連結ネジ１６による螺合工程と前後して前記幕板３の両側部を両脚板７，７の後端面に連結ネジ２５でネジ止めする。
【００２６】
ここで、前記幕板３をＬ脚１に連結する構造を図４及び図１０に基づき簡単に説明する。前記幕板３も天板２と同様に取付位置を上下に調節できるようになっている。前記Ｌ脚１の脚板７の後端面の上部位置で、上下部に間隔を置いて連結穴２６，２６を形成するとともに、該連結穴２６の奥部に連通し脚板７の外面に開口したスリット穴２７をそれぞれ形成し、該スリット穴２７に角ナット２８を挿入し、前記連結穴２６に挿入した前記連結ネジ２５を角ナット２８に螺合するようになっている。一方、前記幕板３の両側部には、上下の前記連結穴２６，２６の間隔と同じ間隔で複数対の取付孔２９，２９を設けている。実際には、上下の複数の取付孔２９，…は一定間隔で形成され、そのピッチ間隔に応じて幕板３の高さを調節できるようになっている。ここで、前記幕板３もかなりの重量があり、片手で支えながら前記連結ネジ２５をねじ込む作業は難しい。そこで、前記連結穴２６，２６の近傍にピンを突設し、該ピンを受け入れる穴を前記取付孔２９，…の近傍にそれぞれ設けておき、ピンと穴による係合によって幕板３を所望高さに仮支持し、軽く幕板３を片手で押えながら、前記連結ネジ２５を角ナット２８に螺合して取付けるようにしている。
【００２７】
尚、前記幕板３は、前記天板２をＬ脚１，１に取付ける前に、該Ｌ脚１，１の後端面に取付けることも可能である。その場合には、前記天板２の後端を幕板３に当接させることにより、前記螺孔１２，１２と前記取付孔１０，１０の位置を一致させるための位置決めに利用することができる。いずれの場合も、クリアランスや公差のため天板２や幕板３の取付位置に誤差が生じるので、先ず天板２と幕板３を取付けるネジを緩く螺合して、全てのネジが所定位置に配置した後にきつく締め付けることが望ましい。
【００２８】
前記書棚５は、前記両Ｌ脚１，１の間隔の半分の横幅を有し、両側の側板３０，３０の下部間に載置板３１を固定し、中間に仕切板３２を横方向移動可能に設けた構造である。そして、前記書棚５の両側板３０，３０の後端面を幕板３の前面に、幕板３と脚板７の取付手段と同様な取付手段によって取付ける。前記書棚５の取付位置は、変更可能なように幕板３の複数箇所に取付けのための取付孔を形成している。また、前記書棚５は、上下反転させて幕板３に取付けることも可能である。二つの書棚５，５を組み合わせて取付けることにより、多様な使用態様を実現できる。
【００２９】
図１〜図３に示すように、前記天板２の後端両側部に切欠部３３，３３を設けることにより、照明器具３４のアーム３５を、該切欠部３３を用いてクランプ（図示せず）で取付けることができ、また配線コードを該切欠部３３を通して配線することができる。また、前記書棚５の載置板３１の後端両側にも切欠部３６，３６を形成している。前記書棚５の切欠部３６は、該書棚５を幕板３に取付けた後に、仕切板３２を装着するために使用するが、前記天板２の切欠部３３と同様な使い方もできる。
【００３０】
図２に示すように、前記天板２の下方に移動可能なワゴン６を収容し、袖キャビネットとして使用することもできる。図２、図１１及び図１２に示すように、ワゴン６の上面に収納オプション３７を取付けて、上方へ開放した収納ボックスを構成することができる。この収納オプション３７は、平面視コ字形の枠体３８とその開放端間に着脱可能に取付ける保持板３９とからなり、図１１及び図１２に示すように、ワゴン６の上面に取付ける際には平面視四角形の上方開放した収納ボックスとなる。前記天板２の高さが高く、引出し１８の下方の空間が十分余裕があれば、ワゴン６を上面に収納オプション３７を取付けたまま天板２の下方に収容することができる。図１４及び図１５に示したように、天板２の高さが低い場合には、ワゴン６の背面に収納オプション３７を付け替えて、上方へ開放したマガジンラックを構成し、その状態で天板２の下方に収容する。つまり、図１１の想像線で示したように、ワゴン６の背面に枠体３８を付け替えるとともに、前記保持板３９を枠体３８の上下中間部の背面に付け替え、上方へ開放したマガジンラックとするのである。
【００３１】
前記書棚５は、二つ左右に並べて幕板３に取付けることができ（図１３参照）、また一側に寄せて上下に並べて幕板３に取付けることもできる（図２参照）。更に、図１４に示すように、二つの書棚５，５を一側に寄せて、上部の書棚５を上下反転させて取付けることにより、例えばＡ４ファイルを立てて収容できるボックスを構成できる。また、図１５に示すように、天板２の高さが低い状態では、該天板２の下方と上方にそれぞれ分けて書棚５を幕板３に取付けることができる。尚、図示しないが、前記幕板３をＬ脚１に対してより高く取付けることにより、天板２の上方に二つの書棚５，５を上下に並べて取付けることも、また幕板３の上端部に左右に並べて取付けて上部棚を構成することも可能である。
【００３２】
前記Ｌ脚１は、前記連結ネジ１６の頭部が脚板７の側面に突出していても、該前記Ｌ脚１の周囲、特に前縁部を側方へ若干突出した化粧部を形成することにより、左右に同じ机を並べて設置した場合で、Ｌ脚１，１同士を隅間なく接合させることができる。また、左右に机を並べて設置した場合、Ｌ脚１としたことにより、座ったまま隣の机に移動したり、椅子を回転させて隣を向いたりする場合に使用者の足の移動に邪魔にならない。
【符号の説明】
【００３３】
１  Ｌ脚、              ２  天板、
３  幕板、              ４  連結部材、
５  書棚、              ６  ワゴン、
７  脚板、              ８  接地脚、
９  ブラケット、        １０  取付孔、
１１  支持板、          １２  螺孔、
１３  オニメナット、    １４  係合ピン、
１５  支持レール、      １６  連結ネジ、
１７  係合部、          １８  引出し、
１９  ボックス体、      ２０  化粧板、
２１  立上片、          ２２  切欠溝、
２３  取付板、          ２４  中心孔、
２５  連結ネジ、        ２６  連結穴、
２７  スリット穴、      ２８  角ナット、
２９  取付孔、          ３０  側板、
３１  載置板、          ３２  仕切板、
３３  切欠部、          ３４  照明器具、
３５  アーム、          ３６  切欠部、
３７  収納オプション、  ３８  枠体、
３９  保持板。
【図１】
2011254879.tif 000003
【図２】
2011254879.tif 000004
【図３】
2011254879.tif 000005
【図４】
2011254879.tif 000006
【図５】
2011254879.tif 000007
【図６】
2011254879.tif 000008
【図７】
2011254879.tif 000009
【図８】
2011254879.tif 000010
【図９】
2011254879.tif 000011
【図１０】
2011254879.tif 000012
【図１１】
2011254879.tif 000013
【図１２】
2011254879.tif 000014
【図１３】
2011254879.tif 000015
【図１４】
2011254879.tif 000016
【図１５】
2011254879.tif 000017